(57)【要約】【課題】  スピーカ、アンプ回路および電源等を必要せず、かつ低音領域の音質の改善を十分に図ることができる音質改善装置を提供する。【解決手段】  電子機器の一つである携帯電話３０に備えられたスピーカユニット３１で再生される音の音質を改善する音質改善装置１は、携帯電話３０を支持する支持部１０と、支持部１０に支持された携帯電話３０のスピーカユニット３１から発せられた音を増幅する音響部２０とを有している。音響部２０は、内部に音響室２１ａを形成するエンクロージャ２１と、スピーカユニット３１からの音を音響室２１ａ内に導入する導入口２２と、音響室２１ａをエンクロージャ２１の外部に連通させるダクト２３とを有している。【選択図】  図１
2007081831.tif 000002
【特許請求の範囲】
【請求項１】
電子機器に備えられたスピーカで再生される音の音質を改善する音質改善装置であって、
該音質改善装置は、前記電子機器を支持する支持部と、該支持部に支持された前記電子機器の前記スピーカから発せられた音を増幅する音響部と、を有し、
前記音響部は、内部に音響室を形成するエンクロージャと、前記音を前記音響室内に導入する導入口と、前記音響室を前記エンクロージャの外部に連通させるダクトと、を有していることを特徴とする音質改善装置。
【請求項２】
前記電子機器は前記スピーカを複数備えてステレオ方式で音を再生するように構成されており、前記音響部は前記各スピーカに対応して独立に複数設けられている、請求項１に記載の音質改善装置。
【請求項３】
前記電子機器は音を外部に放出する音口が形成されており、
前記音響部は、前記導入口が前記支持部に支持された前記電子機器の前記音口に対向して接する位置に配置されるように、前記支持部上に設置されている、請求項１または２に記載の音質改善装置。
【請求項４】
前記音口は前記電子機器の少なくとも背面側に形成されている、請求項３に記載の音質改善装置。
【請求項５】
前記支持部には前記電子機器が前記支持部上に設置されたときに前記電子機器が電気的に接続される接続端子が設けられており、前記電子機器に対して前記接続端子を介して電力の供給および／または情報の送受信を行うことが可能である、請求項１から４のいずれか１項に記載の音質改善装置。
【請求項６】
前記電子機器は携帯電話である、請求項１から５のいずれか１項に記載の音質改善装置。
【発明の詳細な説明】
【技術分野】
【０００１】
本発明は、電子機器に備えられたスピーカで再生される音の音質を改善する音質改善装置に関するものである。
【背景技術】
【０００２】
近年では、携帯電話の着信音や着信メロディの高音質化が著しく発達してきている。また、携帯電話には、携帯電話にダウンロードした音楽コンテンツを再生するミュージックプレーヤとしての機能も求められてきており、そのような機能を実際に実装した製品が市販されている。さらに現在では、ダウンロードされる音楽コンテンツの音源の高品質化も進んでいるため、携帯電話にダウンロードした音楽コンテンツを高い品質レベルで再生できることが求められるようになってきている。
【０００３】
その一方で、携帯電話は小型化・軽量化がますます進んでおり、それに伴って、携帯電話が大口径のスピーカを備えることが難しくなってきている。そのため、携帯電話のスピーカは小型化してきている。ところが、小型のスピーカは特に低音領域の再生音質のレベルが低いため、そのようなスピーカを備えた携帯電話では、着信音や着信メロディあるいはダウンロードした音楽コンテンツをスピーカで再生する時の音質が必ずしも十分ではない。
【０００４】
このような問題に対し、携帯電話のスピーカによる再生音の音質改善を図る技術として、特許文献１に開示された技術が知られている。特許文献１には、携帯電話などの通信機器が設置されるクレードル装置として、スピーカを備え、外部接続インターフェースを介して通信機器から送信された音信号をそのスピーカで再生するクレードル装置や、通信機器のスピーカで再生された音を増幅させる音響部を備えたクレードル装置が開示されている。
【特許文献１】特開２００３−０３２３５１号公報
【発明の開示】
【発明が解決しようとする課題】
【０００５】
しかしながら、外部接続インターフェースを介して通信機器から送信された音信号をスピーカで再生する装置では、スピーカの他にも、音信号を増幅してスピーカに入力させるアンプ回路および電源等が必要となる。そのため、装置自体が複雑化することに加え、その装置を使用できる環境が電源の供給を受けられる場合にのみ限られるという不都合がある。
【０００６】
これに対し、通信機器のスピーカで再生された音を増幅させる音響部を備えた装置では、スピーカ、アンプ回路および電源等を必要としないため、上記のような不都合は生じない。しかし、従来の装置は特に低音領域の増幅に適した構成ではないため、依然として低音領域の音質の改善を十分に図ることができない。
【０００７】
そこで本発明は、スピーカ、アンプ回路および電源等を必要せず、かつ低音領域の音質の改善を十分に図ることができる音質改善装置を提供することを目的とする。
【課題を解決するための手段】
【０００８】
上記目的を達成するため、本発明の音質改善装置は、電子機器に備えられたスピーカで再生される音の音質を改善する音質改善装置であって、該音質改善装置は、前記電子機器を支持する支持部と、該支持部に支持された前記電子機器の前記スピーカから発せられた音を増幅する音響部と、を有し、前記音響部は、内部に音響室を形成するエンクロージャと、前記音を前記音響室内に導入する導入口と、前記音響室を前記エンクロージャの外部に連通させるダクトと、を有していることを特徴とする。
【０００９】
上記本発明の音質改善装置によれば、支持部上に設置された電子機器のスピーカから発せられた音は、音響部の導入口を通って音響室内に導入される。音響室内に導入された音は、音響室およびダクトによって反響して特に低音領域が増幅された後に、ダクトを通じて音響部の外部に放出される。
【００１０】
このように、本発明の音質改善装置は導入された音の特定の周波数領域（特に低音領域）を増幅して出力することができるので、電子機器が低音領域の出力が十分ではない小型のスピーカを備えている場合であっても、そのようなスピーカから出力された音の、特に低音領域の音質を改善することができる。また、本発明の音質改善装置はスピーカ、アンプ回路および電源等を必要としない音響部によって音を増幅させる構成であるため、音質改善装置を使用できる環境が電源の供給を受けられる場合にのみ限られるという不都合はない。
【００１１】
さらに、前記電子機器は前記スピーカを複数備えてステレオ方式で音を再生するように構成されており、前記音響部は前記各スピーカに対応して独立に複数設けられていてもよい。
【００１２】
また、前記電子機器は音を外部に放出する音口が形成されており、前記音響部は、前記導入口が前記支持部に支持された前記電子機器の前記音口に対向して接する位置に配置されるように、前記支持部上に設置されている構成としてもよい。
【００１３】
前記音口は前記電子機器の少なくとも背面側に形成されていてもよい。
【００１４】
さらに、前記支持部には前記電子機器が前記支持部上に設置されたときに前記電子機器が電気的に接続される接続端子が設けられており、前記電子機器に対して前記接続端子を介して電力の供給および／または情報の送受信を行うことが可能である構成としてもよい。
【００１５】
また、前記電子機器は携帯電話であってもよい。
【発明の効果】
【００１６】
以上説明したように、本発明によれば、スピーカ、アンプ回路および電源等を必要せず、かつ低音領域の音質の改善を十分に図ることができる音質改善装置を提供することができる。
【発明を実施するための最良の形態】
【００１７】
次に、本発明の実施形態について図面を参照して説明する。
【００１８】
図１は、本発明の一実施形態に係る音質改善装置の構成を示す概略図である。
【００１９】
本実施形態の音質改善装置１は、電子機器の一つである携帯電話３０を支持する支持部１０と、携帯電話３０から発せられる音を増幅する音響部２０とを有している。
【００２０】
携帯電話３０は、その筐体の内部に収容された小型のスピーカユニット３１と、筐体の背面側に形成された音口３２と、筐体の正面側に形成された音口３３とを有している。各々の音口３２，３３は、スピーカユニット３１から発せられた音を携帯電話３０の筐体の外部に放出するために形成されている。
【００２１】
携帯電話３０を支持する支持部１０は、図１に示すように電気的な接続端子１１を有しており、携帯電話３０が支持部１０に設置されたときに携帯電話３０の接続端子（不図示）がこの接続端子１１に接続されるようになっている。携帯電話３０は、この接続端子１１を介して充電用の電力の供給を受けたり、外部に接続されたコンピュータ等との間で情報の入出力を行ったりすることが可能である。このように、本実施形態の支持部１０はいわゆるクレードルとしての機能を備えている。あるいは、支持部１０は接続端子１１を有さず、単に携帯電話３０が立てかけられるだけの構成であってもよい。
【００２２】
図２は、図１に示した音響部のＡ−Ａ線における断面図である。
【００２３】
図１および図２を参照すると、音響部２０は、内部に音響室２１ａを形成するエンクロージャ２１によって構成されている。エンクロージャ２１には、携帯電話３０のスピーカユニット３１から発せられ背面側の音口３２から放出された音を音響室２１ａ内に導入する導入口２２と、一端がエンクロージャ２１の側面で開口し他端が音響室２１ａ内で開口しているダクト２３と、が設けられている。このように、音響部２０はいわゆるバスレフレックス型の音響構造を有しており、導入口２２から音響室２１ａ内に導入された音の低音領域を音響室２１ａ内で増幅してダクト２３から外部に放出するようになっている。なお、音響部２０は、エンクロージャ２１の内容積、ダクト２３の径や長さが適宜調節されて、増幅する音の周波数が特定されている。したがって、エンクロージャ２１の内容積、ダクト２３の径や長さを適宜変更することによって、音響部２０で増幅する音の周波数を変えることができる。
【００２４】
音響部２０も支持部１０上に支持されており、音響部２０の導入口２２は、携帯電話３０が支持部１０上に設置されたときに携帯電話３０の背面側の音口３２に対向して接する位置に配置されている。
【００２５】
次に、上記のように構成された音質改善装置１による音質改善メカニズムについて説明する。
【００２６】
支持部１０上に設置された携帯電話３０のスピーカユニット３１から発せられた音は、携帯電話３０の正面側の音口３３から放出されるとともに、背面側の音口３２から音響部２０の導入口２２を通って音響室２１ａ内に導入される。音響室２１ａ内に導入された音は、音響室２１ａおよびダクト２３によって反響して低音領域が増幅された後に、ダクト２３を通じて音響部２０の外部に放出される。
【００２７】
このように、本実施形態の音質改善装置１は導入された音の低音領域を増幅して出力することができるので、携帯電話３０が低音領域の出力が十分ではない小型のスピーカユニット３１を備えている場合であっても、そのようなスピーカユニット３１から出力された音の、特に低音領域の音質を改善することができる。また、音質改善装置１はスピーカ、アンプ回路および電源等を必要としない音響部２０によって音を増幅させる構成であるため、音質改善装置１を使用できる環境が電源の供給を受けられる場合にのみ限られるという不都合はない。
【００２８】
なお、上記では携帯電話３０が備えるスピーカユニット３１の数について言及していないが、携帯電話３０が複数のスピーカユニット３１を備えてステレオ方式で音を再生するように構成されている場合には、音質改善装置１は、複数のスピーカユニット３１のそれぞれの音口３２に対応して独立に設けられた複数の音響部２０を備えていてもよい。これにより、携帯電話３０の複数のスピーカユニット３１から発せられるステレオ方式の音の特に低音領域を、ステレオ効果を損なうことなく増幅することができる。
【００２９】
また、上記では本実施形態の音質改善装置１に適用される電子機器として携帯電話３０を例に挙げて説明してきたが、本実施形態の音質改善装置１はその他にも、ＰＤＡなどの情報通信機器、ＣＤプレーヤ、ＭＤプレーヤもしくはデジタルオーディオプレーヤ、またはラジオなどの、スピーカを備えた種々の電子機器で再生される音の音質を改善することに利用することができる。
【図面の簡単な説明】
【００３０】
【図１】本発明の一実施形態に係る音質改善装置の構成を示す概略図である。
【図２】図１に示した音響部のＡ−Ａ線における断面図である。
【符号の説明】
【００３１】
１    音響改善装置
１０  支持部
１１  接続端子
２０  音響部
２１  エンクロージャ
２１ａ  音響室
２２    導入口
２３    ダクト
３０    携帯電話
３１    スピーカユニット
３２，３３    音口
【図１】
2007081831.tif 000003
【図２】
2007081831.tif 000004